(57)【特許請求の範囲】
【請求項１】
リアパネルと、複数の光源から照射される光を直線状に導光する矩形の導光板と、所定のＬＥＤ表示を行なうＬＥＤ表示部とを積層させて配置した可動側筐体と当該可動側筐体に連結ヒンジ部を介して連結される固定側筐体とを備える携帯端末装置であって、
前記ＬＥＤ表示部は、前記導光板の短辺方向のほぼ中央部の位置と異なる積層位置に配置されており、
前記導光板は、前記複数の光源から照射される光を直線状に当該導光板の長辺方向に導光するとともに、前記ＬＥＤ表示部が配置された当該導光板の前記積層位置と異なる、当該導光板の短辺方向のほぼ中央部の位置に形成され、かつ、前記光が直線状に導光される当該導光板の長辺方向に沿って設けられたスリットによりほぼ同一寸法に分割された第一の導光板と第二の導光板とを備え、
前記複数の光源は、当該複数の光源を交互に点灯させる第一の光源群と第二の光源群とを備え、
前記可動側筐体のリアケースに形成された嵌合凹部に対して前記導光板が嵌合されるとともに、前記嵌合凹部よりも大きい前記リアパネルと同形状となるように前記可動側筐体のリアケースに形成された凹溝部に前記リアパネルが嵌合される
ことを特徴とする携帯端末装置。
【請求項２】
前記第一の光源群と第二の光源群は、同時に点灯することにより、前記第一の導光板と第二の導光板とを全面照光させるとともに、前記第一の光源群と第二の光源群を、交互に点灯することにより前記第一の導光板と第二の導光板とを交互に照光させることを特徴とする請求項１に記載の携帯端末装置。
【請求項３】
前記導光板である前記第一の導光板と第二の導光板と前記ＬＥＤ表示部との間には、当該ＬＥＤ表示部からの表示光が透過可能な光隠蔽性の小さい白色シート板が配置されることを特徴とする請求項１または２に記載の携帯端末装置。
【請求項４】
リアパネルと、複数の光源から照射される光を直線状に導光する矩形の導光板と、所定のＬＥＤ表示を行なうＬＥＤ表示部とを積層させて配置した可動側筐体と当該可動側筐体に連結ヒンジ部を介して連結される固定側筐体とを備える携帯端末装置であって、
前記ＬＥＤ表示部は、前記導光板の短辺方向のほぼ中央部の位置と異なる積層位置に配置されており、
前記導光板は、前記複数の光源から照射される光を直線状に当該導光板の長辺方向に導光するとともに、前記ＬＥＤ表示部が配置された当該導光板の前記積層位置と異なる、当該導光板の短辺方向のほぼ中央部の位置に形成され、かつ、前記光が直線状に導光される当該導光板の長辺方向に沿って設けられたスリットによりほぼ同一寸法に第一の導光板と第二の導光板とに分割され、
前記複数の光源は、当該複数の光源を交互に点灯或いは同時に点灯させる第一の光源群と第二の光源群とを備え、
前記第一の光源群と前記第二の光源群は、前記第一の導光板と第二の導光板とのそれぞれの導光範囲を対象として、当該第一、二の光源群を交互に点灯或いは同時に点灯させる点灯制御を行ない、
前記可動側筐体のリアケースに形成された嵌合凹部に対して前記導光板が嵌合されるとともに、前記嵌合凹部よりも大きい前記リアパネルと同形状となるように前記可動側筐体のリアケースに形成された凹溝部に前記リアパネルが嵌合される
ことを特徴とする携帯端末装置。
【請求項５】
前記導光板である前記第一の導光板と第二の導光板と前記ＬＥＤ表示部との間には、当該ＬＥＤ表示部からの表示光が透過可能な光隠蔽性の小さい白色シート板が配置されることを特徴とする請求項４に記載の携帯端末装置。
【請求項６】
前記導光板である前記第一の導光板と第二の導光板と前記ＬＥＤ表示部との間には、前記第一、二の光源群から照射される光を反射するとともに、当該ＬＥＤ表示部からの表示光が透過可能な光隠蔽性の小さい白色シート板が配置されることを特徴とする請求項４に記載の携帯端末装置。
【請求項７】
前記第一の光源群及び前記第二の光源群の光軸と、前記ＬＥＤ表示部の光軸とは、ほぼ直角に交差することを特徴とする請求項１〜６の何れか一つに記載の携帯端末装置。
【発明の詳細な説明】
【技術分野】
【０００１】
本発明は、導光板を配置した可動側筐体を備えた携帯端末装置に関し、特に、１つの導光板により分割照光を可能とすることができる携帯端末装置に関するものである。
【背景技術】
【０００２】
従来から携帯電話機には、携帯電話機の着信時や通話を行なう時などに、リアパネルを一時的に照光させる導光板を備えているものがある。このように、携帯電話機の着信時などにリアパネルを導光板により一時的に照光させることで視覚的な操作性やイルミネーション効果を備えることができる（例えば、特許文献１参照）。
【０００３】
【特許文献１】特開平６−３１８８９７号公報
【発明の開示】
【発明が解決しようとする課題】
【０００４】
ところが、上述した導光板により一時的にリアパネルを照光させる携帯電話機の場合、従来では、導光板全体が照光するため、リアパネルの２箇所で光らせるなどのイルミネーションを行なう時には、２つの導光板を使用する必要がある。このため、導光板に備える発光素子（ＬＥＤ）などの部品点数の増加にともないコストが嵩むという問題があった。
【０００５】
また、近年では、携帯電話機が薄型化となる傾向となっているため、このように、発光素子（ＬＥＤ）を複数個有する導光板を複数個配置させた場合には、携帯電話機の厚みが嵩み薄型化とすることができなくなるという問題がある。
【０００６】
そこで、この発明は、上述した従来技術の課題を解決するためになされたものであり、効率的に導光板を照光させることができるうえ、導光板および使用する発光素子（ＬＥＤ）の部品点数を削減するとともに、携帯端末装置の構造の簡素化を図ることのできる携帯端末装置を提供することを目的とする。
【課題を解決するための手段】
【０００７】
開示の携帯端末装置は、複数の光源から照射される光を直線状に導光する導光板と、所定のＬＥＤ表示を行なうＬＥＤ表示部とを積層させて配置した可動側筐体を備えるとともに、導光板は、当該導光板のほぼ中央部に形成されたスリットにより２分割される第一の導光板と第二の導光板とを備えることを要件とする。
【発明の効果】
【０００８】
開示の携帯端末装置は、スリットにより２分割された第一の導光板と第二の導光板とを備え、導光板の全面を光らせるときは第一の導光板と第二の導光板の発光素子（ＬＥＤ）を全て点灯させ、第一の導光板の発光素子（ＬＥＤ）若しくは第二の導光板の発光素子（ＬＥＤ）のどちらかを点灯或いは消灯させることで導光板を部分照光させることができるので、１つの導光板によりリアパネルに対する分割照光が可能となり、これによって、部品点数の削減および携帯電話機の構造の簡素化およびコストダウンを図ることができる。
【発明を実施するための最良の形態】
【０００９】
以下に添付図面を参照して、この発明に係る携帯端末装置の好適な実施例１を詳細に説明する。本実施例１は、携帯端末装置として携帯電話機への適用例を示す。なお、この実施例１によりこの発明が限定されるものではない。
【実施例１】
【００１０】
先ず、図1を用いて携帯端末装置の全体構成を説明する。ここで、図１は、本発明の実施例１に係る携帯電話機の開放状態を示す外観斜視図である。同図に示すように、携帯電話機１０は、掌サイズの固定側筐体１００および可動側筐体２００と、これら固定側筐体１００および可動側筐体２００をヒンジ構造からなる連結部２５０により組み付けている。
【００１１】
すなわち、同図に示すように、携帯電話機１０は、送話用に用いられるとともに、数字キー（０〜９）を有するテンキー１１１および機能キー（モード設定キー）１１２などの各種操作キーを備える固定側筐体１００と、この固定側筐体１００と、ほぼ同等サイズに形成された内部にＬＣＤモジュール（図示せず）を備える可動側筐体２００とを、連結部（ヒンジ機構）２５０により折り畳み自在に連結している。
【００１２】
これら固定側筐体１００及び可動側筐体２００は、箱形状に形成され、その材料には、例えば、軽量で高強度のマグネシウム合金などが使用されている。 
【００１３】
このうち、固定側筐体１００は、テンキー１１１などの各種操作キーを有する操作パネル１１５が配置された固定フロントケース１１０と、背面側（図１の下側)に位置する固定リアケース１２０との２分割構造を備えている。
【００１４】
同図に示すように、固定フロントケース１１０には、上述したテンキー１１１、機能キー１１２や携帯電話機１０の利用者の音声を電気信号に変換する送話口１１３などが設けられている。そして、これら固定フロントケース１１０および固定リアケース１２０とは、それぞれ４箇所の位置で取り付けネジ（図示せず）によるネジ止め固定により組み付けられている。
【００１５】
このうち固定フロントケース１１０の側板面には、外付け用の折り畳み自在のアンテナ４００とラジオなどの音量を調整するボリュームキー（サイドキー）５００とが配置されている。
【００１６】
同様に、可動側筐体２００は、表示パネル２１１側に位置する可動フロントケース２１０と、背面側（図１の下側）に位置する可動リアケース２２０との２分割構造とを備えている。同図に示すように、このうち可動フロントケース２１０の表面のほぼ中央部には、ＬＣＤモジュール２２４（図２）の表示を視認するための大型の表示パネル２１１および表示部２１２が設けられている。
【００１７】
また、可動フロントケース２１０の上端部には、携帯電話機１０の使用者の耳を当てて音声を聞き取るための受話口２１３が配設されている。これら、両ケース２１０、２２０もそれぞれ４箇所の位置で取り付けネジ(図示せず)により取り付け固定されるとともに、表示パネル２１１の上部位置には、ネジ用の目隠しカバー２１４が設けられている。
【００１８】
［携帯電話機の導光板の構成および特徴］
次に、図２〜図６を用いて、本実施例１に係る携帯電話機に備えた導光板の構成および特徴の詳細について説明する。ここで、図２は、携帯電話機の導光板およびリアパネルを示す分解斜視図を、図３は、携帯電話機の上視図を、図４は、携帯電話機の導光板およびリアパネルを示す平面図を、図５−１は、リアパネルを示す表面図を、図５−２は、リアパネルを示す裏面図を、図６は、導光板の全体構成を示す平面図を、図７−１は、図６のＡ−Ａ断面図を、図７−２は、図６のＢ−Ｂ断面図をそれぞれ示している。
【００１９】
ここで、本実施例１の携帯電話機１０は、線状光源（複数のＬＥＤ３４０）から照射される光を直線状に導光する導光板３００と、所定のＬＥＤ表示を行なうＬＥＤ表示部３６０とを積層させて配置した可動側筐体２００を備えるとともに、導光板３００は、当該導光板３００のほぼ中央部に形成されたスリット３２０によりほぼ同一寸法に分割された第一の導光板３１１と第二の導光板３１２とを備え、複数の発光素子（ＬＥＤ）３４０は、当該複数の光源である第一の光源群と第二の光源群とを交互に点灯させることにより、第一の導光板３１１と第二の導光板３１２とを交互に照光させることに特徴がある。
【００２０】
すなわち、図２〜図６に示すように、可動側筐体を構成する可動リアケース２２０は、この可動リアケース２２０の内部に仕切り板２２３により仕切られたＬＣＤモジュール２２４を設けるとともに、上からリアパネル３５０と導光板３００とがそれぞれ積層された状態で配設されている。ＬＣＤモジュール２２４の片側（図２の右側）には、時刻や模様などを液晶表示するＬＥＤ表示部３６０と着信時などに点灯する着信ＬＥＤ３７０が配設されている。
【００２１】
同図に示すように、可動リアケース２２０には、四角形状の嵌合凹部２２２と、この嵌合凹部２２２よりも一回り大きいリアパネル３５０とほぼ同形状に形成された凹溝部２２１とがそれぞれ形成され、このうちの嵌合凹部２２２に導光板３００を嵌合させた状態で配設し、凹溝部２２１にリアパネル３５０が配設される。
【００２２】
導光板３００は、全体が四角形状のアクリル板が使用された導光板本体３１０により構成され、この導光板本体３１０は、可動リアケース２２０に設けられた嵌合凹部２２２の形状および大きさとほぼ同一となるように成形されている。また、この導光板３００は、導光板本体３１０のほぼ中央部に形成されたスリット３２０によりほぼ同一寸法からなる第一の導光板３１１と第二の導光板３１２とに分割されている。
【００２３】
また、導光板本体３１０の上部に形成された線状光源領域３３０には、複数のＬＥＤ３４０（図２、４、６では、６個）が配置されている。これにより、導光板３００の第一の導光板３１１と第二の導光板３１２とは、それぞれ３個毎に配置されたＬＥＤ３４０により照射される光を直線状に導光することができる。
【００２４】
すなわち、導光板３００に設けたスリット３２０により導光板３００内を伝わる光は塞き止められ一つの導光板３００内においての照光範囲を分割させることができる。そして、この導光板３００と複数の発光素子（ＬＥＤ）３４０の点灯或いは、消灯の組合せにより断続或いは連続する分割照光或いは、全面照光を可能としている。
【００２５】
具体的には、導光板３００の全面を光らせるときは第一の導光板３１１と第二の導光板３１２の発光素子（ＬＥＤ）３４０を全て点灯させ、一部だけ光らせるときは第一の導光板３１１の発光素子（ＬＥＤ）３４０を若しくは第一の導光板３１１と第二の導光板３１２の発光素子（ＬＥＤ）３４０のどちらかを点灯或いは消灯させる。これにより、１つの導光板３００により、リアパネル３５０に対する全面照光および分割照光を実現することができる。
【００２６】
また、導光板３００の裏面には、光隠蔽性の低い白色シート板３５４（図２）が貼着固定されている。すなわち、この白色シート板３５４は、第一の導光板３１１と第二の導光板３１２から入光した入射光に対しては光減衰を防ぐ反射シートとしての機能を備えている。
【００２７】
そして、この白色シート板３５４は、導光板３００とＬＥＤ表示部３６０との間に配置されることから導光板３００の裏側から入射されたＬＥＤ表示部３６０（図７−１）からの光は導光板３００を透過し前面に表示されることで、光りの重なりによるイルミネーションを演出することができる。
【００２８】
このように、導光板３００は、白色シート板３５４により、この導光板３００の下側に配置されたＬＥＤ表示部３６０から照射される光に対しての導光板としての機能も備えている。
【００２９】
また、リアパネル３５０は、導光板３００と同形状で同寸法となるように形成されるとともに、このリアパネル３５０の本体部３５１の裏面の周囲は、黒色の遮光シート枠体３５２（図５−２）が貼り付け固定され、さらに、遮光シート枠体３５２の周囲に遮光線状枠体３５３（図５−２）が嵌入されている。そして、これら遮光シート枠体３５２と遮光線状枠体３５３とにより遮光するとともに、リアパネル３５０の縁部の照射光の輝度の強さを抑制している。
【００３０】
［導光板３００によるイルミネーション］
図８は、導光板３００によるリアパネル３５０の照光状態（全面照光）を、図９は、導光板３００によるリアパネル３５０の照光状態（分割照光）をそれぞれ説明する説明図である。ここで、図８および図９の斜線範囲は、第一の導光板３１１（図６）と第二の導光板３１２（図６）による照光範囲を示している。
【００３１】
すなわち、図８および図９に示すように、可動リアケース２２０には、導光板３００をスリット３２０で分割した第一の導光板３１１（図６）と第二の導光板３１２（図６）とを配設することにより、図８の（１）の状態の導光板３００（ＬＥＤ３４０が全て消灯）の第一、第二の導光板３１１、３１２に配設した複数（６個）のＬＥＤ３４０を全て点灯させることで、図８の（２）に示すように、リアパネル３５０の全面を光らせるイルミネーションを行なうことができる。
【００３２】
また、同様に、図９の（１）の状態の導光板３００（ＬＥＤ３４０が全て消灯）の第一、第二の導光板３１１、３１２のうちの第一の導光板３１１に配設した３個のＬＥＤ３４０を点灯させることで、図９の（２）に示すように、リアパネル３５０の一方の面（図９（２）の左側）を光らせ、次いで、この第一の導光板３１１に配設した３個のＬＥＤ３４０を消灯させ、反対に、第二の導光板３１２に配設した３個のＬＥＤ３４０を点灯させることで、図９の（３）に示すように、リアパネル３５０の他方の面（図９（２）の右側）を光らせ、リアパネル３５０の一方と他方とを交互に光らせるイルミネーションを行なうことができる。
【００３３】
そして、このように、図８（１）〜（２）に示した全面照光と、図９の（１）〜（２）〜（３）に示した部分照光を断続的に交互に行なうことにより多彩なイルミネーション効果を奏することができる。
【００３４】
また、さらにＬＣＤモジュール２２４に設けられたＬＥＤ表示部３６０による点灯時には、このＬＥＤ表示部３６０により表示される時刻表示や模様表示などを導光板３００が透過する表示とともに、第一の導光板３１１および第二の導光板３１２の導光により組み合わされた多彩なイルミネーションを効果的に表現することができる。
【００３５】
以上説明したように、本実施例１の携帯電話機１０は、複数の光源（ＬＥＤ３４０）から照射される光を直線状に導光する導光板３００と、所定のＬＥＤ表示を行なうＬＥＤ表示部３６０とを積層させて配置した可動側筐体２００を備えるとともに、導光板３００は、当該導光板３００のほぼ中央部に形成されたスリット３２０により２分割された第一の導光板３１１と第二の導光板３１２とを備え、第一の光源群と第二の光源群とを交互に点灯させることにより、第一の導光板３１１と第二の導光板３１２とを交互に照光させるので、複数の導光板３００を配置させることなく１つの導光板３００で分割照光を行なうことができ、これによって、効果的なイルミネーションを行なうことができる。
【００３６】
（他の実施例）
なお、本実施例１では、ヒンジ部による折り畳み方式の携帯電話機への適用例として説明したが、図示例のヒンジ構造に限らず各種ヒンジ構造に適用でき、さらには、ヒンジ構造による折り畳み方式に限らず、例えばスライド方式や平面内回転方式の連結部によって固定側筐体に対して可動側筐体を重ね合わせ自在としたものであっても同様に適用することができる。
【００３７】
また、本実施例１では、携帯端末装置として、携帯電話機への適用例として説明したが、本発明はこれに限定されるものではなく、ＰＤＡ（Personal Digital Assistants）のような小型情報処理端末、小型音楽再生装置、携帯テレビ、携帯型ゲーム機等の他の各種携帯端末装置に備えたパネルの発光形態としても適用することができる。
【００３８】
以上の実施例１を含む実施形態に関し、さらに以下の付記を開示する。
【００３９】
（付記１）表示パネルと、複数の光源から照射される光を直線状に導光する導光板と、所定のＬＥＤ表示を行なうＬＥＤ表示部とを積層させて配置した可動側筐体とを連結ヒンジ部を介して連結される固定側筐体とを備える携帯端末装置であって、
前記導光板は、当該導光板のほぼ中央部に形成されたスリットによりほぼ同一寸法に分割された第一の導光板と第二の導光板とを備え、
前記複数の光源は、当該複数の光源を交互に点灯させる第一の光源群と第二の光源群とを備えることを特徴とする携帯端末装置。
【００４０】
（付記２）前記第一の光源群と第二の光源群は、同時に点灯することにより、前記第一の導光板と第二の導光板とを全面照光させるとともに、前記第一の光源群と第二の光源群を、交互に点灯することにより前記第一の導光板と第二の導光板とを交互に照光させることを特徴とする付記１に記載の携帯端末装置。
【００４１】
（付記３）前記導光板である前記第一の導光板と第二の導光板と前記ＬＥＤ表示部との間には、当該ＬＥＤ表示部からの表示光が透過可能な光隠蔽性の小さい白色シート板が配置されることを特徴とする付記１または２に記載の携帯端末装置。
【００４２】
（付記４）表示パネルと、複数の光源から照射される光を直線状に導光する導光板と、所定のＬＥＤ表示を行なうＬＥＤ表示部とを積層させて配置した可動側筐体とを連結ヒンジ部を介して連結される固定側筐体とを備える携帯端末装置であって、
前記導光板は、当該導光板のほぼ中央部に形成されたスリットにより第一の導光板と第二の導光板とに分割され、
前記複数の光源は、当該複数の光源を交互に点灯或いは同時に点灯させる第一の光源群と第二の光源群とを備え、
前記第一の光源群と前記第二の光源群は、前記第一の導光板と第二の導光板とのそれぞれの導光範囲を対象として、当該第一、二の光源群を交互に点灯或いは同時に点灯させる点灯制御を行なうことを特徴とする携帯端末装置。
【００４３】
（付記５）前記導光板である前記第一の導光板と第二の導光板と前記ＬＥＤ表示部との間には、当該ＬＥＤ表示部からの表示光が透過可能な光隠蔽性の小さいシート部材が配置されることを特徴とする付記４に記載の携帯端末装置。
【００４４】
（付記６）前記導光板である前記第一の導光板と第二の導光板と前記ＬＥＤ表示部との間には、当該ＬＥＤ表示部からの表示光が透過可能な光隠蔽性の小さい白色シート板が配置されることを特徴とする付記４に記載の携帯端末装置。
【００４５】
（付記７）前記導光板である前記第一の導光板と第二の導光板と前記ＬＥＤ表示部との間には、前記第一、二の光源群から照射される光を反射するとともに、当該ＬＥＤ表示部からの表示光が透過可能な光隠蔽性の小さい白色シート板が配置されることを特徴とする付記４に記載の携帯端末装置。
【００４６】
（付記８）前記第一の導光板と第二の導光板とから照光される光の方向と、前記ＬＥＤ表示部による表示光として照光される光の方向とは、ほぼ直角に交差する方向に設定されることを特徴とする付記１〜７の何れか一つに記載の携帯端末装置。
【図面の簡単な説明】
【００４７】
【図１】実施例１に係る携帯電話機の開放状態を示す外観斜視図である。
【図２】携帯電話機の導光板およびリアパネルを示す分解図である。
【図３】図１に示した携帯電話機の上視図である。
【図４】携帯電話機の導光板およびリアパネルを示す平面図である。
【図５−１】リアパネルを示す表面図である。
【図５−２】リアパネルを示す裏面図である。
【図６】導光板の全体構成を示す平面図である。
【図７−１】図６のＡ−Ａ断面図である。
【図７−２】図６のＢ−Ｂ断面図である。
【図８】導光板によるリアパネルの照光状態を示す説明図（全面照光）である。
【図９】導光板によるリアパネルの照光状態を示す説明図（分割照光）である。
【符号の説明】
【００４８】
１０  携帯電話機
１００  固定側筐体
１１０  固定フロントケース
１１５  操作パネル
１２０  固定リアケース
２００  可動側筐体
２１０  可動フロントケース
２１１  表示パネル
２２０  可動リアケース
２２１  凹溝部
２２４  ＬＣＤモジュール
２５０  連結部
３００  導光板
３１０  本体部
３１１  第一の導光板
３１２  第二の導光板
３２０  スリット
３４０  発光素子（ＬＥＤ）
３５０  リアパネル
３５１  本体部
３５２  遮光シート枠体
３５３  遮光線状枠体
３５４  白色シート板
３６０  ＬＥＤ表示部
３７０  着信ＬＥＤ
【図１】
0005077052.tif 000002
【図２】
0005077052.tif 000003
【図３】
0005077052.tif 000004
【図４】
0005077052.tif 000005
【図５−１】
0005077052.tif 000006
【図５−２】
0005077052.tif 000007
【図６】
0005077052.tif 000008
【図７−１】
0005077052.tif 000009
【図７−２】
0005077052.tif 000010
【図８】
0005077052.tif 000011
【図９】
0005077052.tif 000012